(57)【特許請求の範囲】
【請求項１】
機器本体内に収容されて記録媒体に記録された情報を読み出す再生位置と前記機器本体外に突出して記録媒体が着脱自在な着脱位置とに亘って移動自在となるトレーを備えた記録媒体再生装置において、
前記トレーは、トレー本体と、前記トレー本体に対し変位自在に支持されているとともに、記録媒体を装着し該記録媒体に記録された情報を読み出す再生機構部とを備え、
前記トレー本体に対し前記再生機構部が変位することを許容する許容位置と前記トレー本体に対し前記再生機構部が変位することを規制する規制位置とに亘って変位自在である変位規制手段を備え、
前記変位規制手段は、前記トレーが着脱位置に位置するときに前記規制位置に位置して前記再生機構部を付勢することで前記再生機構部の変位を規制し、前記トレーが再生位置に位置するときに前記許容位置に位置して前記機器本体を付勢することで前記再生機構部への付勢を解除して前記再生機構部の変位を許容し、前記許容位置から前記規制位置に変位する際に前記機器本体への付勢力を用いて前記トレーを前記着脱位置に向けて移動させることを特徴とする記録媒体再生装置。
【請求項２】
前記トレーの前記機器本体内外への移動に連動して、前記変位規制手段が前記許容位置と前記規制位置とに亘って変位することを特徴とする請求項１記載の記録媒体再生装置。
【請求項３】
前記トレーを前記再生位置に保持する保持位置と、前記トレーを前記再生位置と前記着脱位置とに亘って移動自在な状態とする保持解除位置と、に亘って変位自在な保持手段を備え、
前記保持手段が前記保持位置から前記保持解除位置に変位するのと連動して前記変位規制手段が前記許容位置から前記規制位置に変位することを特徴とする請求項２記載の記録媒体再生装置。
【請求項４】
前記変位規制手段は、前記トレー本体に回転自在に支持されかつその一端部が前記再生機構部の再生機構部本体に設けられた孔を通して該前記再生機構部内に侵入して前記再生機構部の前記機器本体に対する変位を規制するアーム部と、前記アーム部をその一端部が前記再生機構部内に侵入する方向に付勢する付勢手段と、を備え、
前記アーム部が前記許容位置から前記規制位置に回転する際、前記付勢手段の付勢力によりその他端部が前記トレーを押圧して前記着脱位置に向けて移動させることを特徴とする請求項１乃至３のうちいずれか一項に記載の記録媒体再生装置。
【請求項５】
前記アーム部の一端部が前記再生機構部内に侵入したときにその一端部近傍を支持する支持手段を備えていることを特徴とする請求項４記載の記録媒体再生装置。
【請求項６】
前記アーム部の一端部は、前記再生機構部に近づくにしたがって徐々に細く形成されていることを特徴とする請求項４又は５に記載の記録媒体再生装置。
【請求項７】
前記再生機構部は、前記アーム部の一端部が侵入する孔を備えており、
前記孔は、前記アーム部の一端部が侵入する方向と逆方向に向かってその侵入する方向に対し交差する方向の幅が徐々に広くなっていることを特徴とする請求項４乃至６のうちいずれか一項に記載の記録媒体再生装置。
【発明の詳細な説明】
【０００１】
【発明の属する技術分野】
本発明は、例えば、Compact Discなどの記録媒体から情報を読み出す記録媒体再生装置に関する。
【０００２】
【従来の技術】
例えば、移動体としての自動車のインストルメントパネル（以下インパネと呼ぶ）には、記録媒体再生装置としてのＣＤプレーヤが取り付けられる。ＣＤプレーヤは、Compact Disc（以下ＣＤと呼ぶ）などの記録媒体が記録した情報を読み出す。
【０００３】
前記ＣＤプレーヤは、前記インパネなどに取り付けられるためにより小型化を図ることが望まれている。このため、前記ＣＤプレーヤは、前記インパネに取り付けられる機器本体と、前記機器本体から出し入れ自在に設けられたトレーと、を備えたものが提案されている。前記機器本体は、箱状に形成されている。トレーは、表面上にＣＤが置かれるとともに前記機器本体から出し入れ自在なトレー本体と、前記トレー本体に取り付けられた回転テーブルや光ピックアップ等を備えた再生機構部と、を備えている。
【０００４】
再生機構部は、ゴムなどの弾性体からなるダンパと、コイルばねなどによって、前記トレー本体に対して変位自在に前記トレー本体に支持されている。
【０００５】
回転テーブルは、トレー本体に回転自在に設けられている。回転テーブルは、モータなどの駆動源によって回転駆動される。回転テーブルは、ＣＤの中央孔内に侵入してＣＤをクランプするクランパを備えている。回転テーブルは、クランパによりクランプされたＣＤを回転する。光ピックアップは、前記回転テーブルに近づいたり該回転テーブルから離れる方向に移動自在である。光ピックアップは、前記ＣＤに記録された情報を読み出すことができる。
【０００６】
前述した構成のＣＤプレーヤは、機器本体外に突出されたトレーにＣＤを着脱させる構成となっている。ＣＤプレーヤは、ＣＤが装着されたトレーを機器本体内に収容して、光ピックアップでＣＤに記録されている情報を読み出す。
【０００７】
前述した構成のＣＤプレーヤは、ＣＤに記録されている情報を読み出すための再生機構部をトレー本体に備え付けた構成にしている。よって、装置全体の小型化、薄型化を図ることができる。また、前記再生機構部がダンパやばねなどの弾性部材によって、トレー本体に変位自在に支持されることによって、走行中に前記自動車が振動しても、再生機構部がＣＤに記録されている情報を確実に読み出すことができる。
【０００８】
【発明が解決しようとする課題】
前述したように従来のＣＤプレーヤでは、再生機構部がトレー本体に対し弾性部材により変位自在に設けられている。このため、機器本体外に突出したトレーに対しＣＤを取り付ける際、または取り付けられているＣＤを取り外す際に再生機構部がトレー本体に対し変位することになる。すなわち、ＣＤを再生機構部のクランパに着脱する際には、クランパのクランプ力に抗した力を掛ける必要があるため、再生機構部が変位する状態にあると、その着脱操作が良好に行えないという不具合が生じることになる。
【０００９】
したがって、本発明の目的は、記録媒体を容易に着脱できる記録媒体再生装置を提供することにある。
【００１０】
【課題を解決するための手段】
前記課題を解決し目的を達成するために、請求項１に記載の本発明の記録媒体再生装置は、機器本体内に収容されて記録媒体に記録された情報を読み出す再生位置と前記機器本体外に突出して記録媒体が着脱自在な着脱位置とに亘って移動自在となるトレーを備えた記録媒体再生装置において、前記トレーは、トレー本体と、前記トレー本体に対し変位自在に支持されているとともに、記録媒体を装着し該記録媒体に記録された情報を読み出す再生機構部とを備え、前記トレー本体に対し前記再生機構部が変位することを許容する許容位置と前記トレー本体に対し前記再生機構部が変位することを規制する規制位置とに亘って変位自在である変位規制手段を備え、前記変位規制手段は、前記トレーが着脱位置に位置するときに前記規制位置に位置して前記再生機構部を付勢することで前記再生機構部の変位を規制し、前記トレーが再生位置に位置するときに前記許容位置に位置して前記機器本体を付勢することで前記再生機構部への付勢を解除して前記再生機構部の変位を許容し、前記許容位置から前記規制位置に変位する際に前記機器本体への付勢力を用いて前記トレーを前記着脱位置に向けて移動させることを特徴としている。
【００１１】
請求項２に記載の本発明の記録媒体再生装置は、請求項１記載の記録媒体再生装置において、前記トレーの前記機器本体内外への移動に連動して、前記変位規制手段が前記許容位置と前記規制位置とに亘って変位することを特徴としている。
【００１２】
請求項３に記載の本発明の記録媒体再生装置は、請求項２記載の記録媒体再生装置において、前記トレーを前記再生位置に保持する保持位置と、前記トレーを前記再生位置と前記着脱位置とに亘って移動自在な状態とする保持解除位置と、に亘って変位自在な保持手段を備え、前記保持手段が前記保持位置から前記保持解除位置に変位するのと連動して前記変位規制手段が前記許容位置から前記規制位置に変位することを特徴としている。
【００１４】
請求項４に記載の本発明の記録媒体再生装置は、請求項１乃至３のうちいずれか一項に記載の記録媒体再生装置において、前記変位規制手段は、前記トレー本体に回転自在に支持されかつその一端部が前記再生機構部の再生機構部本体に設けられた孔を通して該前記再生機構部内に侵入して前記再生機構部の前記機器本体に対する変位を規制するアーム部と、前記アーム部をその一端部が前記再生機構部内に侵入する方向に付勢する付勢手段と、を備え、前記アーム部が前記許容位置から前記規制位置に回転する際、前記付勢手段の付勢力によりその他端部が前記トレーを押圧して前記着脱位置に向けて移動させることを特徴としている。
【００１５】
請求項５に記載の本発明の記録媒体再生装置は、請求項４記載の記録媒体再生装置において、前記アーム部の一端部が前記再生機構部内に侵入したときにその一端部近傍を支持する支持手段を備えていることを特徴としている。
【００１６】
請求項６に記載の本発明の記録媒体再生装置は、請求項４又は５記載の記録媒体再生装置において、前記アーム部の一端部は、前記再生機構部に近づくにしたがって徐々に細く形成されていることを特徴としている。
【００１７】
請求項７に記載の本発明の記録媒体再生装置は、請求項４乃至６のうちいずれか一項に記載の記録媒体再生装置において、前記再生機構部は、前記アーム部の一端部が侵入する孔を備えており、前記孔は、前記アーム部の一端部が侵入する方向と逆方向に向かってその侵入する方向に対し交差する方向の幅が徐々に広くなっていることを特徴としている。
【００１８】
請求項１に記載した本発明の記録媒体再生装置によれば、トレーが着脱位置に位置すると変位規制手段が規制位置に位置する。このため、トレーが着脱位置に位置すると、再生機構部がトレー本体に対し変位しにくくなる。
【００１９】
また、トレーが再生位置に位置すると変位規制手段が許容位置に位置する。このため、トレーが再生位置に位置すると、再生機構部がトレー本体に対し変位自在となる。したがって、振動などが作用しても、再生機構部は、記録媒体に記録されている情報を確実に読み出すことができる。
許容位置から規制位置に変位する際に、変位規制手段は、トレーを着脱位置に向けて移動する。このため、トレーを機器本体外に突出させるのと連動して、再生機構部がトレー本体に対し確実に変位しにくくなる。したがって、トレーが着脱位置に変位すると、再生機構部がトレー本体に対しより確実に変位しなくなる。
【００２０】
請求項２に記載した本発明の記録媒体再生装置によれば、トレーの移動に連動して、変位規制手段が変位するので、トレーが着脱位置に位置すると変位規制手段が規制位置に確実に位置する。このため、トレーが着脱位置に位置すると、再生機構部がトレー本体に対し確実に変位しにくくなる。
【００２１】
また、トレーが再生位置に位置すると変位規制手段が許容位置に位置する。このため、トレーが再生位置に位置すると、再生機構部がトレー本体に対し確実に変位自在となる。したがって、振動などが作用しても、再生機構部は、記録媒体に記録されている情報をより確実に読み出すことができる。
【００２２】
請求項３に記載した本発明の記録媒体再生装置によれば、保持手段が保持位置から保持解除位置に変位するのと連動して、変位規制手段が許容位置から規制位置に変位する。このため、トレーを機器本体外に突出させるのと連動して、再生機構部がトレー本体に対し変位しにくくなる。したがって、トレーが着脱位置に変位すると、再生機構部がトレー本体に対しより確実に変位しなくなる。
【００２４】
請求項４に記載した本発明の記録媒体再生装置によれば、変位規制手段が、アーム部と、該アーム部を付勢する付勢手段とを備えている。付勢手段は、一端部が再生機構部内に侵入する方向に、アーム部を付勢している。許容位置から規制位置に回転する際、付勢手段は、トレーを着脱位置に向けて移動させる。
【００２５】
このため、トレーが、付勢手段の付勢力によって再生位置から着脱位置に向かって確実に変位する。また、規制位置ではアーム部の一端部が再生機構部内に侵入して、再生機構部がトレー本体に対し相対的により確実に変位しにくくなる。
【００２６】
また、許容位置ではアーム部の一端部が再生機構部内から抜け出る。このため、許容位置では、再生機構部は、トレー本体に対し相対的に確実に変位自在となる。したがって、記録媒体に記録されている情報を確実に読み出すことができる。
【００２７】
請求項５に記載した本発明の記録媒体再生装置によれば、支持手段が、再生機構部内に侵入したアーム部の一端部の近傍を支持する。このため、規制位置では、アーム部の一端部が再生機構部内から抜け出ることを防止できる。支持手段は、アーム部の一端部を支持するのが望ましい。
【００２８】
請求項６に記載した本発明の記録媒体再生装置によれば、アーム部の一端部が再生機構部に近づくにしたがって徐々に細く形成されている。このため、アーム部の一端部が再生機構部内に確実に侵入できる。
【００２９】
請求項７に記載した本発明の記録媒体再生装置によれば、孔の幅が、アーム部の一端部が侵入する方向と逆方向に向かって徐々に広くなっている。このため、孔内にアーム部の一端部がより確実に侵入できる。
【００３０】
【発明の実施の形態】
本発明の一実施形態にかかる記録媒体再生装置１を図１ないし図１０を参照して説明する。図１などに示す記録媒体再生装置１は、例えば、移動体としての自動車のインストルメントパネル（以下インパネと呼ぶ）に装着される。記録媒体再生装置１は、記録媒体としてのＣＤ２（図１などに示す）を収容して、該ＣＤ２に記録された情報を読み出して（再生して）音声として出力する。
【００３１】
記録媒体再生装置１は、図１などに示すように、機器本体３と、トレー４と、保持手段としての第２のロック機構８（図２ないし図７に示す）と、を備えている。機器本体３は、前記インパネに取り付けられる。機器本体３は、略平坦な底壁９と、該底壁９と間隔をあけて相対する略平坦な天井壁１０と、これらの底壁９と天井壁１０との双方に連なる複数の周壁１１と、を備えて、扁平な箱状に形成されている。
【００３２】
複数の周壁１１のうち図１中の手前側に位置する一つの周壁１１には、トレー通し孔１２が形成されている。トレー通し孔１２は、前記一つの周壁１１を貫通している。トレー通し孔１２は、内側にトレー４を通すことができる。前記トレー通し孔１２内を通って、前記トレー４は、図１中の矢印Ｋに沿って変位して、機器本体３内に収容されたり、該機器本体３内から排出される（機器本体３外に突出する）。
【００３３】
また、機器本体３の内側には、図２ないし図７に示すように、一対のガイドレール１３が取り付けられている。一対のガイドレール１３は、機器本体３の幅方向の両端部に取り付けられている。即ち、一対のガイドレール１３は、トレー通し孔１２の両端部に取り付けられている。ガイドレール１３は、それぞれ、一方向に沿って延びている。ガイドレール１３の長手方向は、トレー通し孔１２からみて機器本体３の奥行き方向に沿って延びている。即ち、ガイドレール１３の長手方向は、前記矢印Ｋに沿っている。
【００３４】
トレー４は、図３、図５及び図７に示すように、平面形が矩形状のトレー本体５と、再生機構部６と、変位規制手段としてのロック機構７と、を備えている。トレー本体５は、底壁１４と、この底壁１４と間隔をあけて相対する天井壁１５と、手前壁１６と、奥壁１７と、一対の側壁１８と、を備えて、扁平な箱状に形成されている。
【００３５】
底壁１４は、底壁９と平行である。天井壁１５は、天井壁１０と平行である。手前壁１６は、底壁１４と天井壁１５とを互いに連ねている。手前壁１６は、トレー通し孔１２が形成された周壁１１と平行である。手前壁１６は、後述の再生位置で、トレー通し孔１２が形成された周壁１１と略同一平面上に位置する。
【００３６】
奥壁１７は、底壁１４と天井壁１５とを互いに連ねており、図１中奥側に位置する周壁１１と平行である。奥壁１７は、再生位置で手前壁１６と奥壁１７と一対の側壁１８の中で最もトレー通し孔１２から離れている。一対の側壁１８は、互いに間隔をあけて相対しているとともに、互いに平行である。側壁１８は、底壁１４と天井壁１５とを互いに連ねており、機器本体３の幅方向の両端に位置する周壁１１と平行である。
【００３７】
また、トレー本体５には、窪み１９と、係止部２０と、一対のストッパ２１が設けられている。窪み１９は、トレー本体５の図１中上側に位置する天井壁１５から凹に形成されている。窪み１９の平面形は、ＣＤ２の外形に沿って略円形である。窪み１９内に、ＣＤ２を位置付ける。即ち、トレー本体５即ちトレー４の表面上には、ＣＤ２が置かれる。窪み１９には、再生機構部取付孔２２が開口している。再生機構部取付孔２２は、窪み１９の底面を貫通している。
【００３８】
係止部２０は、一対の側壁１８のうち一方からトレー本体５の外方向に突出している。即ち、係止部２０は、トレー本体５の幅方向の一端部から外方向に突出している。係止部２０は、トレー本体５即ちトレー４が機器本体３内に収容されると、トレー本体５の図１中の奥行き方向（図１中の矢印Ｋに沿う方向）のトレー通し孔１２から離れた側の端部に設けられている。係止部２０には、第２のロック機構８の後述のロックアーム４６が係止可能である。
【００３９】
ストッパ２１は、ロック機構７の後述するアーム４０の近傍に配されている。ストッパ２１は、トレー本体５の天井壁１５の内面から底壁１４に向かって立設している。ストッパ２１は、図９に示すように、天井壁１５から立設した立設片２３と、立設片２３の天井壁１５から離れた側の端部に連なる平行片２４と、を一体に備えている。
【００４０】
平行片２４は、立設片２３の端部からトレー本体５の幅方向に沿って外側に延びている。一対のストッパ２１は、後述するアーム４０が規制位置に位置すると、立設片２３にアーム４０の一端部４０ａを接触させかつアーム４０の一端部４０ａを天井壁１５と平行片２４との間に挟む。
【００４１】
ストッパ２１は、規制位置に変位したアーム４０の一端部４０ａを天井壁１５と平行片２４との間に挟んで、該アーム４０の位置ずれを防止する。即ち、ストッパ２１は、規制位置に位置したアーム４０の一端部４０ａ及び一端部４０ａの近傍を支持する。なお、ストッパ２１は、本明細書に記した支持手段をなしている。
【００４２】
トレー本体５は、幅方向の両端部を一対のガイドレール１３に支持されている。トレー本体５は、ガイドレール１３の長手方向に沿って移動自在にガイドレール１３に支持されている。トレー本体５は、ガイドレール１３に沿って移動すると、トレー通し孔１２の内側を通る。こうして、トレー本体５即ちトレー４は、機器本体３内に収容される位置（以下再生位置と呼ぶ）と、機器本体３外に突出する位置（以下着脱位置と呼ぶ）とに亘って移動（変位）する。
【００４３】
なお、再生位置では、記録媒体再生装置１は、ＣＤ２内に記録された情報を読み出すことができる。着脱位置では、窪み１９内に位置付けられたＣＤ２を取り出すことができるとともに、窪み１９内にＣＤ２を位置付けることができる。即ち、着脱位置では、トレー本体５すなわちトレー４にＣＤ２を着脱自在である。
【００４４】
再生機構部６は、図２ないし図７に示すように、再生機構部本体２５と、回転テーブル２６と、光ピックアップ２７などを備えている。再生機構部本体２５は、板金を折り曲げられて得られる。再生機構部本体２５は、略平坦な天井壁２８と、この天井壁２８の外縁に連なる複数の周壁２９と、を備えている。天井壁２８の平面形は、再生機構部取付孔２２の平面形に沿っている。天井壁２８には、ピックアップ露出孔３０が設けられている。ピックアップ露出孔３０は、勿論天井壁２８を貫通している。
【００４５】
複数の周壁２９は、それぞれ、天井壁２８から立設している。複数の周壁２９のうち二つの周壁２９には、孔３１が設けられている。孔３１は、勿論周壁２９を貫通している。孔３１は、平面形状が略矩形である。再生機構部６がトレー本体５に取り付けられると、孔３１の長手方向は、トレー本体５即ちトレー４の幅方向に沿う。孔３１内には、アーム４０の一端部４０ａが侵入する。
【００４６】
回転テーブル２６は、前記天井壁２８に取り付けられる基部３２と、前記ピックアップ露出孔３０内を通って窪み１９内に露出するテーブル３３と、を備えている。回転テーブル２６は、ＣＤ２の外形に沿って略円形に形成された窪み１９の中央に配されている。基部３２は、テーブル３３を回転させるための図示しないモータを収容している。
【００４７】
テーブル３３の平面形は円形に形成されている。テーブル３３は、基部３２に回転自在に支持されている。テーブル３３の表面から突没自在な突没部材３４を、テーブル３３は、複数備えている。突没部材３４は、テーブルの周方向に沿って略等間隔に配されている。図示例では、突没部材３４は、三つ設けられている。
【００４８】
また、突没部材３４は、図示しないコイルばねなどによって、テーブル３３の表面から突出する方向に付勢されている。テーブル３３は、ＣＤ２の中央孔内に侵入する。すると、突没部材３４は、一旦テーブル３３の表面に没した後、再びテーブル３３の表面から突出して、ＣＤ２の中央孔の内縁に係止する。回転テーブル２６は、テーブル３３の突没部材３４がＣＤ２の内縁に係止した後、基部３２内のモータなどの駆動力によってＣＤ２を回転させる。
【００４９】
光ピックアップ２７は、前記ＣＤ２に記録されている情報を読み出す。光ピックアップ２７は、駆動機構３５などによって、回転テーブル２６に接離される。駆動機構３５は、図３、図５及び図７に示すように、モータ３６とねじ軸３７と支持軸３８などを備えている。モータ３６は、天井壁２８に取り付けられる。ねじ軸３７は、天井壁２８に回転自在に支持されている。ねじ軸３７は、モータ３６の回転駆動力によってその軸芯回りに回転される。ねじ軸３７の長手方向は、窪み１９内に位置付けられたＣＤ２の径方向に沿っている。支持軸３８は、天井壁２８に取り付けられているとともに、ねじ軸３７と平行に配されている。
【００５０】
光ピックアップ２７は、ピックアップ露出孔３０を通して露出する格好で、前記ねじ軸３７と支持軸３８とに支持されている。光ピックアップ２７は、一端部がねじ軸３７に螺合しているとともに、他端部が支持軸３８に移動自在に支持されている。光ピックアップ２７は、支持軸３８の長手方向に沿って移動自在である。
【００５１】
こうして、光ピックアップ２７は、駆動機構３５のモータ３６の駆動力によって、窪み１９内に位置付けられたＣＤ２の径方向に沿って移動する。光ピックアップ２７は、窪み１９内に位置付けられたＣＤ２の径方向に沿って移動して、回転テーブル２６に接離する。なお、回転テーブル２６に接離するとは、回転テーブル２６に近づいたり、回転テーブル２６から離れることである。
【００５２】
また、再生機構部６は、ゴムなどの弾性体からなるダンパ３９（図３、図５及び図７に示す）と、図示しないコイルばねなどによって、前記トレー本体５に対し移動自在に、該トレー本体５内に支持される。なお、これらのダンパ３９とコイルばねは、弾性部材である。このとき、再生機構部本体２５の天井壁２８は、再生機構部取付孔２２を通して、窪み１９内に露出しているとともに、窪み１９の底面と略同一平面上に位置する。
【００５３】
突没部材３４がＣＤ２の中央孔の内縁に係止して、回転テーブル２６がＣＤ２をクランプする（取り付ける）。そして、再生機構部６は、回転テーブル２６でＣＤ２を回転させて、光ピックアップ２７で該ＣＤ２に記録されている情報を読み出す。
【００５４】
そして、再生機構部６は、前記自動車の走行中の振動によって機器本体３が振動しても、前記ダンパ３９とコイルばねとによって、トレー本体５即ち機器本体３に対し移動する。このように、前記ダンパ３９とコイルばねなどは、前記自動車の走行中の振動などが前記ＣＤ２に記録されている情報を読み出す作業に悪影響を与えることを防止する。
【００５５】
ロック機構７は、図３、図５及び図７に示すように、一対のアーム４０と、付勢手段としてのコイルばね４１と、を備えている。アーム４０の平面形状は、略く字状に形成されている。アーム４０は、再生機構部６より記録媒体再生装置１の奥側に配されている。アーム４０は、長手方向の中央部がトレー本体５の天井壁１５に回転自在に支持されている。一端部４０ａが孔３１を通して再生機構部６内に侵入する位置（以下規制位置と呼ぶ）と、一端部４０ａが再生機構部６内から抜け出る位置（以下許容位置と呼ぶ）とに亘って、アーム４０は、矢印Ｋ１（図３に示す）と矢印Ｋ２（図４ないし図７に示す）に沿って変位自在である。
【００５６】
規制位置では、一端部４０ａが再生機構部６内に侵入して、再生機構部６のトレー本体５に対する変位が規制される。即ち、規制位置では、再生機構部６は、トレー本体５に対して変位しにくくなる。または、規制位置では、再生機構部６は、トレー本体５に対して変位しなくなる。規制位置では、アーム４０の他端部４０ｂは、トレー本体５の奥壁１７の外面から外方向に突出する。
【００５７】
許容位置では、一端部４０ａが再生機構部６内から抜け出て、再生機構部６のトレー本体５に対する変位が許容される。即ち、許容位置では、再生機構部６は、トレー本体５に対して変位自在となる。許容位置では、アーム４０の他端部４０ｂは、トレー本体５内に略収容される。
【００５８】
また、孔３１内に侵入する際には、アーム４０の一端部４０ａは、図１０中の矢印Ｓ１に沿って、孔３１の長手方向の一方の端部３１ａ（図１０に示す）に侵入した後、孔３１の他方の端部３１ｂ（図１０に示す）内に侵入する。なお、孔３１の一方の端部３１ａは、トレー本体５の幅方向の外側に位置し、孔３１の他方の端部３１ｂは、トレー本体５の幅方向の内側に位置する。また、矢印Ｓ１は、本明細書に記したアーム（アーム部）４０の一端部４０ａが孔３１内に侵入する方向をなしている。
【００５９】
さらに、孔３１内に侵入する際には、アーム４０の一端部４０ａは、トレー本体５の内側に位置する一方の側縁４２から前記孔３１内に侵入する。また、前記一端部４０ａは、図８に示すように、トレー本体５の外側に位置する他方の側縁４３から前記一方の側縁４２に向かうにしたがって、徐々に細くなるように形成されている。こうして、一端部４０ａは、許容位置において、再生機構部６に近づくにしたがって徐々に細く形成されている。なお、アーム４０は、本明細書に記したアーム部に相当する。
【００６０】
コイルばね４１は、一対のアーム４０の一端部４０ａ間に掛け渡されている。コイルばね４１は、一端部４０ａを互いに近づける方向に、一対のアーム４０を付勢している。こうして、コイルばね４１は、アーム４０を前記規制位置に向かって付勢している。即ち、コイルばね４１は、一端部４０ａが再生機構部６内に侵入する方向にアーム４０を付勢している。なお、図示例では、コイルばね４１は、一つのみ設けられているが、本発明では、コイルばね４１を一対設けても良い。この場合も、コイルばね４１は、一端部４０ａが互いに近づく方向に、一対のアーム４０を付勢するのが望ましい。
【００６１】
第２のロック機構８は、トレー本体５の幅方向の一方の端部に取り付けられている。第２のロック機構８は、スイッチ４４（図１に示す）と、レバー４５（図２ないし図７に示す）と、ロックアーム４６（図２ないし図７に示す）と、コイルばね４７（図２ないし図７に示す）と、を備えている。スイッチ４４は、機器本体３のトレー通し孔１２が形成された周壁１１に取り付けられている。スイッチ４４は、矢印Ｋに沿って移動自在に周壁１１に支持されている。
【００６２】
レバー４５は、帯状に形成されている。レバー４５は、矢印Ｋに沿って移動自在に機器本体３に支持されている。レバー４５の一端部４５ａは、スイッチ４４と接触している。レバー４５は、スイッチ４４とともに矢印Ｋに沿って移動自在である。
【００６３】
ロックアーム４６は、鉛直方向に沿う軸芯を中心として、機器本体３に回転自在に支持されている。ロックアーム４６の一端部は、レバー４５の他端部４５ｂと連結している。ロックアーム４６は、矢印Ｋに沿ってレバー４５が移動すると、回転する。ロックアーム４６の他端部には、係止爪４８が設けられている。係止爪４８は、トレー本体５の係止部２０に係止可能である。
【００６４】
ロックアーム４６は、係止爪４８がトレー４に近づいてトレー本体５の係止部２０に係止する位置（以下保持位置と呼ぶ）と、係止爪４８がトレー４から離れてトレー本体５の係止部２０との係止が解除される位置（以下保持解除位置と呼ぶ）とに亘って変位自在（回転自在）である。コイルばね４７は、一端部４５ａが周壁１１即ちスイッチ４４に近づく方向に、レバー４５を付勢している。
【００６５】
前述した構成の第２のロック機構８は、コイルばね４７の付勢力によって、ロックアーム４６が前記保持位置に保たれる。この状態で、係止爪４８がトレー本体５の係止部２０に係止すると、トレー４を再生位置に保持する。前記コイルばね４７の付勢力に抗して、スイッチ４４を周壁１１に向かって押すとレバー４５がトレー本体５の奥側に向かって変位して、ロックアーム４６が保持解除位置に変位する。すると、係止爪４８と係止部２０との係止が解除されて、トレー４を再生位置と着脱位置とに亘って移動自在な状態とする。
【００６６】
前述した構成の記録媒体再生装置１は、トレー４が図２及び図３に示す再生位置から図６及び図７に示す着脱位置に、以下に示すように移動する。図２及び図３に示す再生位置では、コイルばね４７の付勢力によってロックアーム４６が保持位置に保たれている。ロックアーム４６の係止爪４８がトレー本体５の係止部２０に係止している。
【００６７】
また、他端部４０ｂが機器本体３の内面に接触しているとともに、一端部４０ａが孔３１即ち再生機構部６から抜け出て、アーム４０が許容位置に位置している。そして、再生機構部６が、ダンパ３９やコイルばねなどによって、トレー本体５に対して変位自在となっている。
【００６８】
コイルばね４７の付勢力に抗して、スイッチ４４を機器本体３の奥に向かって押すと、ロックアーム４６が保持解除位置に変位する。係止爪４８と係止部２０との係止が解除される。コイルばね４１の付勢力によって、アーム４０が図３中の矢印Ｋ１に沿って変位する。アーム４０の他端部４０ｂが機器本体３のトレー通し孔１２が形成されている周壁１１と対向する周壁１１の内面を押すとともに、一端部４０ａが互いに近づく。
【００６９】
アーム４０の他端部４０ｂがトレー本体５の奥壁１７から該トレー本体５の外方向に突出するとともに、アーム４０の一端部４０ａが、孔３１の一方の端部３１ａに一旦侵入した後孔３１の他方の端部３１ｂに侵入する。そして、図４及び図５に示すように、トレー４の一部が機器本体３外に突出するとともに、アーム４０が規制位置に変位する。
【００７０】
こうして、アーム４０が許容位置から規制位置に回転する際、コイルばね４１の付勢力により、その他端部４０ｂがトレー４を押圧して着脱位置に向けて移動させる。このように、ロック機構７は、許容位置から規制位置に変位する際に、トレー４を着脱位置に向けて移動させる。再生機構部６がトレー本体５に対して変位しにくくなる（又は変位しなくなる）。このとき、アーム４０の一端部４０ａは、ストッパ２１に支持されている。
【００７１】
その後、トレー４をトレー通し孔１２を通して、機器本体３外に引き出す。トレー４は、図６及び図７に示すように、着脱位置に変位する。窪み１９内にＣＤ２を位置付けて回転テーブル２６にＣＤ２をクランプさせたり、ＣＤ２を回転テーブル２６から取り外す。
【００７２】
着脱位置に変位したトレー４を再生位置に変位させる際には、図６及び図７に示す着脱位置から、トレー通し孔１２を通して機器本体３の奥に向かってトレー４を押す。すると、図４及び図５に示すように、アーム４０の他端部４０ｂが機器本体３のトレー通し孔１２が形成された周壁１１と対向する周壁１１の内面に接触する。さらに、トレー４を機器本体３の奥に向かって押すと、コイルばね４１の付勢力に抗して、アーム４０が図４及び図５中の矢印Ｋ２に沿って変位する。
【００７３】
他端部４０ｂが機器本体３の内面から押されて、一端部４０ａが孔３１から抜け出る。アーム４０は、許容位置に位置する。さらに、コイルばね４７の付勢力に抗して、ロックアーム４６が一旦保持解除位置に変位した後、再び保持位置に変位して、係止爪４８が係止部２０に係止する。こうして、トレー４が再生位置に位置するとともに、ロック機構７のアーム４０が許容位置に変位して、再生機構部６がトレー本体５に対して変位自在となる。
【００７４】
このように、前述した構成の記録媒体再生装置１では、トレー４が再生位置に位置すると、ロック機構７のアーム４０が許容位置に位置して、再生機構部６がトレー本体５に対して変位自在となる。また、トレー４が着脱位置に位置すると、ロック機構７のアーム４０が規制位置に位置して、再生機構部６のトレー本体５に対する変位が規制される。
【００７５】
さらに、トレー４が再生位置から着脱位置に変位するのに連動して、ロック機構７のアーム４０が許容位置から規制位置に変位する。トレー４が着脱位置から再生位置に変位するのに連動して、ロック機構７のアーム４０が規制位置から許容位置に変位する。第２のロック機構８のロックアーム４６が保持位置から保持解除位置に変位するのに連動して、トレー４が再生位置から着脱位置に向かって移動（変位）する。
【００７６】
本実施形態によれば、トレー４が着脱位置に位置するとロック機構７のアーム４０が規制位置に位置する。このため、トレー４が着脱位置に位置すると、再生機構部６がトレー本体５に対し変位しにくくなる。したがって、トレー４の再生機構部６にＣＤ２を着脱する際に、再生機構部６が変位しにくくなる。したがって、トレー４の再生機構部６にＣＤ２を容易に着脱できる。
【００７７】
また、トレー４が再生位置に位置するとロック機構７のアーム４０が許容位置に位置する。このため、トレー４が再生位置に位置すると、再生機構部６がトレー本体５に対し変位自在となる。したがって、振動などが作用しても、再生機構部６は、ＣＤ２に記録されている情報を確実に読み出すことができる。
【００７８】
第２のロック機構８のロックアーム４６が保持位置から保持解除位置に変位するのと連動して、ロック機構７のアーム４０が許容位置から規制位置に変位する。このため、トレー４を機器本体３外に突出させるのと連動して、再生機構部６がトレー本体５に対し変位しなくなる。したがって、トレー４が着脱位置に変位すると、再生機構部６がトレー本体５に対しより確実に変位しなくなる。したがって、トレー４の再生機構部６にＣＤ２をより容易に着脱できる。
【００７９】
ロック機構７が、アーム４０と、該アーム４０を付勢するコイルばね４１とを備えている。コイルばね４１は、一端部４０ａが再生機構部６内に侵入する方向に、アーム４０を付勢している。また、トレー４が再生位置に位置するとアーム４０の他端部４０ｂが機器本体３に接触する。第２のロック機構８のロックアーム４６が保持位置から保持解除位置に変位すると、コイルばね４１はアーム４０の他端部４０ｂに機器本体３を押させてトレー４を機器本体３内から突出させる。
【００８０】
このため、トレー４が、コイルばね４１の付勢力によって再生位置から着脱位置に向かって確実に変位する。また、規制位置ではアーム４０の一端部４０ａが再生機構部６に侵入して、再生機構部６がトレー本体５に対し相対的により確実に変位しにくくなる。したがって、トレー４の再生機構部６にＣＤ２を着脱する際に、再生機構部６が変位しにくくなる。したがって、トレー４の再生機構部６にＣＤ２をより一層容易に着脱できる。
【００８１】
また、許容位置ではアーム４０の一端部４０ａが再生機構部６内から抜け出る。このため、許容位置では、再生機構部６は、トレー本体５に対し相対的に確実に変位自在となる。したがって、ＣＤ２に記録されている情報を確実に読み出すことができる。
【００８２】
ストッパ２１が、規制位置に変位したアーム４０の一端部４０ａ及び該一端部４０ａの近傍を支持する。このため、規制位置では、アーム４０の一端部４０ａが位置ずれしないので、該アーム４０の一端部４０ａが再生機構部６内から抜け出ることを防止できる。したがって、トレー４の再生機構部６にＣＤ２を着脱する際に、再生機構部６が変位しにくくなる。したがって、トレー４の再生機構部６にＣＤ２を容易に着脱できる。
【００８３】
アーム４０の一端部４０ａが再生機構部６に近づくのにしたがって徐々に細く形成されている。このため、アーム４０の一端部４０ａが再生機構部６内に確実に侵入できる。したがって、トレー４の再生機構部６にＣＤ２を着脱する際に、再生機構部６が変位しにくくなる。したがって、トレー４の再生機構部６にＣＤ２を容易に着脱できる。
【００８４】
前述した実施形態では、孔３１の平面形を矩形状に形成している。しかしながら本発明では、図１１に示すように、一方の端部３１ａから他方の端部３１ｂに向かうにしたがって、アーム４０の一端部４０ａが移動（変位）する方向に交差する方向の孔３１の幅を徐々に狭くしても良い。なお、図１１に示す例では、前記孔３１の幅を段階的に狭くしている。しかしながら、本発明では、前記孔３１の幅を連続的に狭くしても良いことは勿論である。
【００８５】
この場合、孔３１の幅が、他方の端部３１ｂから一方の端部３１ａに向かうにしたがって徐々に広くなっている。すなわち、孔３１は、矢印Ｓ１と逆方向の矢印Ｓ２に向かって、その侵入する方向（矢印Ｓ１）に対し交差する方向の幅が、徐々に広くなっている。このため、孔３１内にアーム４０の一端部４０ａが確実に侵入できる。したがって、トレー４の再生機構部６にＣＤ２を着脱する着脱位置で、再生機構部６が変位しない（変位しにくくなる）。したがって、トレー４の再生機構部６にＣＤ２を容易に着脱できる。
【００８６】
前述した実施形態では、コイルばね４１の付勢力によって、トレー４を機器本体３から突出させるとともに、ロック機構７のアーム４０を許容位置から規制位置に変位させている。しかしながら本発明では、トレー４をモータなどの駆動力によって、再生位置と着脱位置とに亘って変位させても良い。また、トレー４の機器本体３に対する相対的な位置を検出する位置検出手段を用いてアーム４０の位置を検出して、アーム４０をモータなどの駆動力で回転させても良い。
【００８７】
【発明の効果】
以上説明したように請求項１に記載の本発明は、トレーが着脱位置に位置すると変位規制手段が規制位置に位置する。このため、トレーが着脱位置に位置すると、再生機構部がトレー本体に対し変位しにくくなる。したがって、トレーの再生機構部に記録媒体を着脱する際に、再生機構部が変位しにくくなる。したがって、トレーに記録媒体を容易に着脱できる。
【００８８】
また、トレーが再生位置に位置すると変位規制手段が許容位置に位置する。このため、トレーが再生位置に位置すると、再生機構部がトレー本体に対し変位自在となる。したがって、振動などが作用しても、再生機構部は、記録媒体の情報を確実に読み出すことができる。
許容位置から規制位置に変位する際に、変位規制手段がトレーを着脱位置に向けて移動する。このため、トレーを機器本体外に突出させるのと連動して、再生機構部がトレー本体に対し確実に変位しにくくなる。したがって、トレーが着脱位置に変位すると、再生機構部がトレー本体に対しより確実に変位しなくなる。したがって、トレーに記録媒体をより一層容易に着脱できる。
【００８９】
請求項２に記載の本発明は、トレーの移動に連動して、変位規制手段が変位するので、トレーが着脱位置に位置すると変位規制手段が規制位置に確実に位置する。このため、トレーが着脱位置に位置すると、再生機構部がトレー本体に対し確実に変位しにくくなる。したがって、トレーの再生機構部に記録媒体を着脱する際に、再生機構部が変位しにくくなる。したがって、トレーに記録媒体を容易に着脱できる。
【００９０】
また、トレーが再生位置に位置すると変位規制手段が許容位置に位置する。このため、トレーが再生位置に位置すると、再生機構部がトレー本体に対し確実に変位自在となる。したがって、振動などが作用しても、再生機構部は、記録媒体に記録されている情報をより確実に読み出すことができる。
【００９１】
請求項３に記載の本発明は、保持手段が保持位置から保持解除位置に変位するのと連動して、変位規制手段が許容位置から規制位置に変位する。このため、トレーを機器本体外に突出させるのと連動して、再生機構部がトレー本体に対し変位しにくくなる。したがって、トレーが着脱位置に位置すると、再生機構部がトレー本体に対しより確実に変位しにくくなる。したがって、トレーに記録媒体をより容易に着脱できる。
【００９３】
請求項４に記載の本発明は、変位規制手段が、アーム部と、該アーム部を付勢する付勢手段とを備えている。付勢手段は、一端部が再生機構部内に侵入する方向に、アーム部を付勢している。許容位置から規制位置に回転する際、付勢手段は、トレーを着脱位置に向けて移動させる。
【００９４】
このため、トレーが、付勢手段の付勢力によって再生位置から着脱位置に向かって確実に変位する。また、規制位置ではアーム部の一端部が再生機構部内に侵入して、再生機構部がトレー本体に対し相対的により確実に変位しなくなる。したがって、トレーの再生機構部に記録媒体を着脱する際に、再生機構部が変位しにくくなる。したがって、トレーに記録媒体をより一層容易に着脱できる。
【００９５】
また、許容位置ではアーム部の一端部が再生機構部内から抜け出る。このため、許容位置では、再生機構部は、トレー本体に対し相対的に確実に変位自在となる。したがって、記録媒体に記録されている情報を確実に読み出すことができる。
【００９６】
請求項５に記載の本発明は、支持手段が、再生機構部内に侵入したアーム部の一端部の近傍を支持する。このため、規制位置では、アーム部の一端部が再生機構部内から抜け出ることを防止できる。したがって、トレーの再生機構部に記録媒体を着脱する際に、再生機構部が確実に変位しにくくなる。したがって、トレーに記録媒体を容易に着脱できる。
【００９７】
請求項６に記載の本発明は、アーム部の一端部が再生機構部に近づくにしたがって徐々に細く形成されている。このため、アーム部の一端部が再生機構部内に確実に侵入できる。したがって、トレーの再生機構部に記録媒体を着脱する際に、再生機構部がより一層確実に変位しにくくなる。したがって、トレーに記録媒体をより一層容易に着脱できる。
【００９８】
請求項７に記載の本発明は、孔の幅が、アーム部の一端部が侵入する方向と逆方向に向かって徐々に広くなっている。このため、孔内にアーム部の一端部が確実に侵入できる。したがって、トレーの再生機構部に記録媒体を着脱する際に、再生機構部がより一層確実に変位しにくくなる。したがって、トレーに記録媒体をより一層容易に着脱できる。
【図面の簡単な説明】
【図１】本発明の一実施形態にかかる記録媒体再生装置を示す斜視図である。
【図２】図１に示された記録媒体再生装置のトレーが再生位置に変位した状態を上方からみた説明図である。
【図３】図２に示された状態を下方からみた説明図である。
【図４】図２に示された状態からトレーの一部が機器本体外に突出した状態を上方からみた説明図である。
【図５】図４に示された状態を下方からみた説明図である。
【図６】図１に示された記録媒体再生装置のトレーが着脱位置に変位した状態を上方からみた説明図である。
【図７】図６に示された状態を下方からみた説明図である。
【図８】図３中の矢印ＶＩＩＩ方向からアームの一端部をみた図である。
【図９】図７中のＩＸ−ＩＸ線に沿う断面図である。
【図１０】図７中のＸ−Ｘ線に沿う断面図である。
【図１１】図１０に示された孔などの変形例を示す断面図である。
【符号の説明】
１  記録媒体再生装置
２  ＣＤ（記録媒体）
３  機器本体
４  トレー
５  トレー本体
６  再生機構部
７  ロック機構（変位規制手段）
８  第２のロック機構（保持手段）
２１  ストッパ（支持手段）
３１  孔
３１ａ  一方の端部
３１ｂ  他方の端部
４０  アーム（アーム部）
４０ａ  一端部
４０ｂ  他端部
４１  コイルばね（付勢手段）
【図１】
0003866953.tif 000002
【図２】
0003866953.tif 000003
【図３】
0003866953.tif 000004
【図４】
0003866953.tif 000005
【図５】
0003866953.tif 000006
【図６】
0003866953.tif 000007
【図７】
0003866953.tif 000008
【図８】
0003866953.tif 000009
【図９】
0003866953.tif 000010
【図１０】
0003866953.tif 000011
【図１１】
0003866953.tif 000012